(57)【要約】本発明は、ブレスレットを形成するのに適しており、その主方向が長手方向軸線を画定するブレスレットリンクに関する。前記リンクは、−長手方向を横断する方向に配置された経路（２０）が横断する本体（１０）であって、前記経路（２０）は、前記本体（１０）に設けられた、第２のリンクが係合可能な接合部（１２）によって中断される、本体（１０）と、−経路（２０）に収容された棒体（３０）であって、棒体（３０）が接合部（１２）を通過する組立位置と、棒体（３０）が接合部（１２）を自由にする自由位置との間で、本体（１０）に対して経路（２０）内で並進移動されることが可能である棒体（３０）と、−棒体（３０）を組立位置に保持するために棒体（３０）の長手方向位置を係止する第１の位置と、棒体（３０）が並進移動可能な第２の位置との間で、前記本体（１０）内で並進移動可能に配置された係止部材（４０）と、−係止部材（４０）を第１の位置に保持する傾向のある、係止部材（４０）に力を加える弾性部材とを備える。本発明によれば、係止部材（４０）は、押しボタンであるか、または、押しボタンに連結されており、使用者が押しボタンに圧力を加えたことに応答して第２の位置に移動可能である。【選択図】図１
2020512891.tif 000002
【特許請求の範囲】
【請求項１】
ブレスレットを形成するのに適しており、その主方向が長手方向軸線を画定するブレスレットリンクであって、前記リンクは、
−長手方向を横断する方向に配置された経路（２０）が横断する本体（１０）であって、前記経路（２０）は、前記本体（１０）に設けられた、第２のリンクが係合可能な接合部（１２）によって少なくとも部分的に中断される、本体（１０）と、
−経路（２０）に収容された棒体（３０）であって、棒体（３０）が接合部（１２）を通過する組立位置と、棒体（３０）が接合部（１２）を自由にする自由位置との間で、本体（１０）に対して経路内で並進移動されることが可能である棒体（３０）と、
−棒体（３０）を組立位置に保持するために棒体（３０）の長手方向位置を係止する第１の位置と、棒体（３０）が並進移動可能な第２の位置との間で、前記本体（１０）内で並進移動可能に配置された係止部材（４０）と、
−前記係止部材（４０）を第１の位置に保持する傾向のある、係止部材（４０）に力を加える弾性部材と
を備え、
係止部材（４０）は、押しボタンであるか、または、押しボタンに連結されており、使用者が押しボタンに圧力を加えたことに応答して第２の位置に移動可能であることを特徴とするリンク。
【請求項２】
押しボタンは、使用者が工具を使用せずに操作できるように、本体の外部表面の近くに位置する、請求項１に記載のリンク。
【請求項３】
押しボタンは、係止部材（４０）の第１の位置において、本体（１０）の前記外部表面に実質的に同一平面に配置された作動面を有する、請求項２に記載のリンク。
【請求項４】
係止部材（４０）および押しボタンは単一の部品として作られる、請求項１〜３の何れか一項に記載のリンク。
【請求項５】
係止部材（４０）は、長手方向軸線および経路（２０）の両方に対して横断方向に並進移動可能である、請求項１〜４の何れか一項に記載のリンク。
【請求項６】
係止部材（４０）は、棒体（３０）の円筒面に設けられた溝（３４）に係合可能なラッチ（４２）を備える、請求項１〜５の何れか一項に記載のリンク。
【請求項７】
棒体（３０）は、直径Ｄ１を有する部分と、Ｄ１よりも大きい直径Ｄ２を有する部分とを備え、経路（２０）は、直径ｄ１を有する領域と、ｄ１よりも大きい直径ｄ２を有する領域とを備え、直径ｄ１を有する領域と直径ｄ２を有する領域との間の直径の変化が縁部（２２４）を形成し、ｄ１＜Ｄ２＜ｄ２であり、前記縁部（２２４）が棒体と当接する、請求項１〜６の何れか一項に記載のリンク。
【請求項８】
経路は、棒体を並進に案内するような寸法とされた案内領域（２２０、２４０）と、第２の領域（２２２、２４２）とを備え、第２の領域は、前記第２の領域との摩擦なしに棒体が並進できるような寸法とされる、請求項１〜７の何れか一項に記載のリンク。
【請求項９】
棒体（３０）と本体（１０）の間に置かれ、棒体（３０）に、組立位置から自由位置に向かって並進に押す傾向のある力を加えるために配置されたばね（２８）を備える、請求項１〜８の何れか一項に記載のリンク。
【請求項１０】
請求項１〜９の何れか一項に記載のリンクを少なくとも２つ含むことを特徴とするブレスレット。
【請求項１１】
棒体（３０）が組立位置にあるリンクを含む請求項９に記載のリンクブレスレットを長くまたは短くする方法であって、前記方法は、係止部材（４０）を並進に駆動するステップを含み、前記並進駆動により、棒体（３０）の少なくとも部分的な自動排出をもたらすことを特徴とする方法。
【請求項１２】
棒体（３０）が自由位置にあるリンクを含む請求項９に記載のリンクブレスレットを長くまたは短くする方法であって、前記方法は、棒体（３０）を経路（２０）に押し戻すステップを含み、棒体（３０）が組立位置に到達すると、係止部材（４０）は自動的にその第１の位置に移動されることを特徴とする方法。
【発明の詳細な説明】
【技術分野】
【０００１】
本発明は、時計製造の分野に関する。より詳細には、ブレスレットを形成するのに適しており、その主方向が長手方向軸線を画定するブレスレットリンクに関する。リンクは、長手方向軸線に対して横断方向に配置された経路が横断する本体を備える。経路は、リンクの本体に設けられ、第２のリンクが係合することのできる接合部によって中断される。リンクを隣接したリンクと組み立てるために、棒体が経路に収容される。棒体は、棒体が接合部を通過する組立位置と、棒体が接合部を解放する解放位置との間で、本体に対して経路内で並進移動することが可能である。
【背景技術】
【０００２】
リンクブレスレットのリンクは、ほとんどの場合、リンク相互の接続および相対的な移動性を確保する横断棒体またはピンから組み立てられる。リンクが誤って取り外されないようにするために、棒体と連携するリンクの少なくとも１つに棒体を固定するためのさまざまな解決策が提案されている。これらの解決策も同様に、交換または長さの調節のために、リンクの取り外しのために棒体を抜き取ることを許容する。典型的には、棒体を押し出すか、よくてもねじを外したりする必要があり、これは、適切な工具の使用とある程度の器用さを必要とする。したがって、一般的に、誤った取り扱いによってブレスレットを損傷する危険性を避けるために、ブレスレットの長さの単純な調整は専門家によって行われる必要がある。
【０００３】
特開２００７−８２５９７号には、リンクに収容された係止部材に関連して実施された、上述した種類の棒体の一例が記載および図示されている。この係止部材は、棒体をブレスレットの長手方向に作用させ、それをその筐体内に保持するために配置される。この目的のために、棒体は、その中心に環状溝を有しており、棒体の係止を確実にするために、弾性部材の作用の影響下で、その溝の中に係止部材の先端を挿入することができる。さらに、係止部材は、収縮して棒体を解放するために、圧縮可能である。棒体の引き出しは、係止部材によって保持されてない従来の棒体に必要な操作と同様に、棒体に圧力を加えるため、および、係止部材を収縮するために、工具をリンクの筐体に挿入することを必要とする。
【０００４】
しかし、着用者自身がそのような操作を行うことができることが望ましい。実際、専門家を訪問することは必ずしも便利ではない。
【０００５】
欧州特許公開第１９７７６５８号は、係止部材が棒体の軸線に垂直な軸線に沿って旋回可能に取付けられた、可逆係止システムを提案する。係止部材は、棒体の表面に設けられた溝に係合できるように位置決めされている。係止部材は、その角度位置に応じて、溝に係合する、または溝から係脱する非円筒部を備える。この着想は興味深いが、係止部材を旋回させ、棒体の係止／解除をもたらすために、ドライバー等の工具に頼る必要がある。また、この文献から、係止部材の回転を確保するためには、ねじの回転と組み合わせて、ねじに軸線方向圧力を加える必要があることが理解されよう。軸線方向圧力は係止部材の水平面での変化を引き起こし、これにより回転を可能にする。係止部材の回転のみが、棒体が係止され、または解除されることを可能にする。
【０００６】
本発明の目的は、より簡単に、かつ、工具無しで利用可能な、改善された解決策を提案することである。
【先行技術文献】
【特許文献】
【０００７】
【特許文献１】特開２００７−８２５９７号
【特許文献２】欧州特許公開第１９７７６５８号
【発明の概要】
【０００８】
より詳細には、本発明は、ブレスレットを形成するのに適しており、その主方向が長手方向軸線を画定するブレスレットリンクに関する。リンクは：
−長手方向を横断する方向に配置された経路が横断する本体であって、前記経路は、前記本体に設けられた、第２のリンクが係合可能な接合部によって少なくとも部分的に中断される、本体と、
−経路に収容された棒体であって、棒体が接合部を通過する組立位置と、棒体が接合部を自由にする自由位置との間で、本体に対して経路内で並進移動されることが可能である棒体と、
−棒体を組立位置に保持するために棒体の長手方向位置を係止する第１の位置と、棒体が並進移動可能な第２の位置との間で、本体内で並進移動可能に配置された係止部材と、
−係止部材を第１の位置に保持する傾向のある、係止部材に力を加える弾性部材と
を備える。
【０００９】
本発明によれば、係止部材は、押しボタンであるか、または、押しボタンに連結されており、使用者が押しボタンに圧力を加えたことに応答して第２の位置に移動可能である。
【００１０】
また、本発明は、少なくとも２つの、本発明によるリンクを含むブレスレット、および、そのようなブレスレットを長くする、または短くする方法にも関する。
【００１１】
本発明の他の詳細は、本明細書に添付された図面を参照してなされる以下の説明を読むことにより、より明らかになるであろう。
【図面の簡単な説明】
【００１２】
【図１】図１は、本発明の好ましい実施形態に係るリンクの分解図である。
【図２ａ】自由位置に図１のリンクの長手方向断面図である。
【図２ｂ】押し込位置における図１のリンクの長手方向断面図である。
【図３ａ】自由位置における図１のリンクの横方向断面図である。
【図３ｂ】押込み位置における図１のリンクの横方向断面図である。
【発明を実施するための形態】
【００１３】
図１は本発明によるブレスレットリンクを示しており、種々の部品を分解して示す。このリンクは、ブレスレットを形成するために、他の適合可能なリンクに接続される能力を有する。明細書の以降において、リンクが関与するブレスレットの主方向を長手方向軸線として定義する。
【００１４】
リンクは、実質的に平行六面体の形態の本体１０を備えるが、これは限定的ではない。本体１０を、長手方向軸線に対して横方向に配置された経路２０が横断する。少なくとも一つの接合部１２、または、ブレスレットの構成に応じて必要であれば、複数の接合部が本体１０に設けられる。この接合部１２は、第２のリンクの係合を、この第２のリンクに含まれる対応した雄部により可能にする。この特定の場合において、リンクの本体１０は、他のリンクの接合部１２または時計ケースと協働することを意図された雄部１４を備える。経路２０は、接合部１２によって、少なくとも部分的に中断または交差される。
【００１５】
より具体的には、経路２０は、２つの端部のうち、一方は接合部１２に、他方はリンクの外部に開口する第１の部分２２を備える。経路２０のこの第１の部分２２は、リンクの外側に位置し、直径ｄ１を有する案内領域２２０と、接合部１２側に位置し、ｄ１より大きい直径ｄ２を有する第２の領域２２２とを有する。これら２つの領域の間で、直径の変化は、その役割が以下で明確になる縁部２２４を形成する。
【００１６】
また、経路２０は、接合部１２側が開口し、ストッパ２６により他方の側が閉口される第２の部分２４を備える。経路２０のこの第２の部分２４は、リンクの接合部１２側に位置し、直径ｄ３を有する案内領域２４０と、リンクの外側に位置し、ｄ３よりも大きい直径ｄ４を有する第２の領域２４２と備え、ｄ３はｄ２に実質的に等しくすることができる。これら２つの領域の間で、直径の変更は縁部２４４を形成する。
【００１７】
ばね２８は、経路２０の第２の部分２４に収容されており、ストッパ２６と、直径ｄ４を有する領域と直径ｄ３を有する領域との間の直径の変化により形成される縁部２４４との間に維持される。
【００１８】
リンクは、経路２０に収容された棒体３０をさらに備える。棒体３０は、棒体３０が接合部１２を通過する組立位置と、棒体が接合部１２を解放するまたは解放することのできる解放位置との間で、本体１０に対して経路２０内で並進移動することが可能である。したがって、組立位置において、棒体３０は、それらを互いに接続するために第２のリンクと協働することができる。逆に、自由位置では、第１のリンクに接続されていた第２のリンクを取り外すことができる。
【００１９】
より具体的には、棒体３０は、異なる直径を有する部分を備える。棒体３０は、その長さの大部分について、直径ｄ１を有する経路２０の案内領域２２０がその移動において棒体３０を案内することができるように、経路２０の最小直径ｄ１よりわずかに小さい直径Ｄ１を示す。
【００２０】
経路２０の第２の部分２４に位置するよう意図されたその先端部において、棒体が係止位置にある場合、棒体３０はＤ１より大きい直径Ｄ２を有する部分３２を備える。直径ｄ３を有する経路２０の案内領域２４０がその移動においてこの部分３２を案内できるように、Ｄ２はｄ３よりもわずかに小さい。棒体３０の移動によって誘発される摩擦を低減するために、棒体３０は、案内領域２２０および２４０以外では、経路２０と直接接触していないことに留意されたい。棒体３０が経路２０の第１の部分２２で、直径Ｄ２を有する棒体３０の先端が端部２２４に当接するまで、摺動できるようにするために、Ｄ２はｄ１よりも大きく、かつ、ｄ２よりも小さい。
【００２１】
棒体３０は、その円筒面に設けられた環状溝３４をさらに備える。溝は、直径Ｄ３がＤ１より小さく、後述する係止部材４０と協働することを意図される。
【００２２】
実際、本発明によるリンクは、棒体３０を組立位置に保持するために、棒体３０の長手方向位置を係止する第１の位置、棒体３０が並進移動可能に解放された第２の位置との間を移動するために配置された前記係止部材４０をさらに備える。この第１の位置において、係止部材は、ばね２８の作用下で、溝３４、具体的にはその側壁、少なくとも接合部の側面に位置する側壁と協働する。第２の位置において、係止部材は溝３４ともはや協働せず、棒体の通過を可能にする。
【００２３】
本発明によれば、係止部材４０は、リンクの本体１０に対して並進移動可能であり、並進移動することにより、その第１の位置からその第２の位置に移行する。
【００２４】
より具体的には、係止部材４０は、前記本体１０の表面、好ましくはブレスレットの着用者に接触するよう意図された面に設けられたキャビティの内部に配置された押しボタンである。
【００２５】
無論、別の押しボタンを係止部材４０に直接的または間接的に接続し、係止部材と協働できるように、特に、着用者により押しボタンに加えられた圧力に応じて、第１の位置から第２の位置に向かって変位できるように、リンクに配置するという別案を提供することも可能である。有利には、圧力は、着用者の指または任意の他の適切な手段によって押しボタンの作動面に直接加えられる。
【００２６】
すべての場合において、着用者によって押しボタンに加えられる圧力は、係止部材４０がその第１の位置と第２の位置との間を移動する際に示す並進方向に実質的に向けられた方向を示すことができると有利である。
【００２７】
押しボタンは、棒体３０の溝３４に係合できるように寸法決めされたラッチ４２と関連付けられている。好ましい実施形態では、ラッチ４２および押しボタンは単一の部品として作られるが、組み立てられた別個の部品から形成することもできる。ラッチ４２は、棒体３０が開口４２０に関して実質的に中心にある場合、棒体３０の軸線に沿った並進変位中に棒体３０の通過を可能にする開口４２０を含む。好ましい実施形態によれば、開口４２０は、直径がＤ１よりも大きい円形部分を有する。
【００２８】
押しボタンは、係止部材４０を第１の位置に保持し、ラッチを溝３４に配置する傾向がある力を係止部材４０に及ぼす弾性部材４６の配置を可能にする筐体４４をさらに含む。この弾性部材４６は、リンクの本体１０と押しボタンとの間に挿入されたばねの形態を取ることができる。
【００２９】
押しボタンは、案内開口４８をさらに備え、その中にリンクの本体１０と一体の案内ピン１００が収容される。開口は、押しボタンの移動を案内するために長方形状である。案内開口４８と案内ピン１００との間の協働は、特に押しボタンが第１の位置にある場合に、押しボタンが正しく位置決めされることを保証する。次に、押しボタンは、案内ピン１００および棒体３０を押し、したがって完全に位置決めされ、リンクと同一平面にあり、安定する。
【００３０】
押しボタンが係止部材の第１の位置でリンクと同一平面にある、すなわち、リンクの外面と実質的に整列して配置されているという事実は、リンクが高品質であるという印象をブレスレットの着用者に与える。しかしながら、本発明は、工具の利用が可能な場合でも着用者が圧力をかける目的で工具を利用する必要なく圧力をかけることができるように、押しボタンがリンクの関係する外部表面の近くに位置する作動面を有するので、満足のいく方法で実施することができる。
【００３１】
したがって、棒体３０の、直径Ｄ２を有する部分は、経路２０の、直径ｄ１を有する領域に侵入することができないことが理解されるであろう。その結果、棒体３０は経路２０の第２の部分の側面に取り付けられ、押しボタンはその空洞にすでに取り付けられている。棒体３０は、ラッチ４２の開口４２０を通る位置をとるように配置される。次に、ばね２８は、ストッパ２６によって経路２０を閉じる前に、経路２０の第２の部分２４に配置され、その後、本体１０の表面に埋め込まれ、リンクの表面で見えなくなる。簡単に取り外し可能な解決策を得るために、ストッパをねじ込むことができる。
【００３２】
弾性部材４６の作用下で、押しボタンは、直径Ｄ３を有する棒体３０の溝３４の基部をラッチ４２が押圧する第１の位置に押し込まれる。次に、棒体３０が本体１０に挿入され、接合部１２を通過して、別のリンクとの組み立てを可能にする。次に、棒体３０は組立位置にあり、その位置は横方向に固定されている。
【００３３】
棒体３０が組立位置にあるときに押しボタンを押すことにより、ラッチ４２の開口が棒体３０と一直線になると直ちに、ばね２８の作用下で棒体が自動的に経路２０から排出される。棒体３０の並進変位は、直径Ｄ２を有し、縁部２２４に当接する、棒体３０の第２の領域３２の端部によって制限される。棒体３０は完全には取り外せなくすることができ、それにより棒体３０が紛失するのを防ぐ。それは、力と変形を制限するために十分に案内されたままである。したがって、棒体３０は自由位置にあり、連結部１２からリンクを取り外したり、リンクを挿入したりすることができる。
【００３４】
棒体３０を組立位置に戻すためには、棒体３０を経路２０に押し戻すだけで十分である。溝３４がラッチ４２の位置に戻るとすぐに、弾性部材４６は自動的にロック部材４０をその第１の位置に戻す。棒体３０の位置を再び係止するために、係止部材４０の操作は必要とされない。
【００３５】
かかるシステムを備えた複数のリンクを並べて配置することにより、着用者がリンクを追加／除去し、ブレスレットの長さを調整することは非常に容易である。リンクの追加と除去は、工具を使わずに非常に信頼性が高く安全な方法で行われる。
【００３６】
上記の説明は、非網羅的な例として提案されており、当業者は、必要に応じて複数の係合部材を組み合わせることにより、１つまたは複数のリンク範囲を有するリンクブレスレットのさまざまな種類の設計に適合させるために、これを利用することができる。
【図１】
2020512891.tif 000003
【図２ａ】
2020512891.tif 000004
【図２ｂ】
2020512891.tif 000005
【図３ａ】
2020512891.tif 000006
【図３ｂ】
2020512891.tif 000007
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
ブレスレットを形成するのに適しており、その主方向が長手方向軸線を画定するブレスレットリンクであって、前記リンクは、
−長手方向を横断する方向に配置された経路（２０）が横断する本体（１０）であって、前記経路（２０）は、前記本体（１０）に設けられた、第２のリンクが係合可能な接合部（１２）によって少なくとも部分的に中断される、本体（１０）と、
−経路（２０）に収容された棒体（３０）であって、棒体（３０）が接合部（１２）を通過する組立位置と、棒体（３０）が接合部（１２）を自由にする自由位置との間で、本体（１０）に対して経路内で並進移動されることが可能である棒体（３０）と、
−棒体（３０）を組立位置に保持するために棒体（３０）の長手方向位置を係止する第１の位置と、棒体（３０）が並進移動可能な第２の位置との間で、前記本体（１０）内で並進移動可能に配置された係止部材（４０）と、
−前記係止部材（４０）を第１の位置に保持する傾向のある、係止部材（４０）に力を加える弾性部材と
を備え、
係止部材（４０）は、押しボタンであるか、または、押しボタンに連結されており、使用者が押しボタンに圧力を加えたことに応答して第２の位置に移動可能であることを特徴とするリンク。
【請求項２】
押しボタンは、使用者が工具を使用せずに操作できるように、本体の外部表面の近くに位置する、請求項１に記載のリンク。
【請求項３】
押しボタンは、係止部材（４０）の第１の位置において、本体（１０）の前記外部表面に実質的に同一平面に配置された作動面を有する、請求項２に記載のリンク。
【請求項４】
係止部材（４０）および押しボタンは単一の部品として作られる、請求項１〜３の何れか一項に記載のリンク。
【請求項５】
係止部材（４０）は、長手方向軸線および経路（２０）の両方に対して横断方向に並進移動可能である、請求項１〜４の何れか一項に記載のリンク。
【請求項６】
係止部材（４０）は、棒体（３０）の円筒面に設けられた溝（３４）に係合可能なラッチ（４２）を備える、請求項１〜５の何れか一項に記載のリンク。
【請求項７】
棒体（３０）は、直径Ｄ１を有する部分と、Ｄ１よりも大きい直径Ｄ２を有する部分とを備え、経路（２０）は、直径ｄ１を有する領域と、ｄ１よりも大きい直径ｄ２を有する領域とを備え、直径ｄ１を有する領域と直径ｄ２を有する領域との間の直径の変化が縁部（２２４）を形成し、ｄ１＜Ｄ２＜ｄ２であり、前記縁部（２２４）が棒体と当接する、請求項１〜６の何れか一項に記載のリンク。
【請求項８】
経路は、棒体を並進に案内するような寸法とされた案内領域（２２０、２４０）と、第２の領域（２２２、２４２）とを備え、第２の領域は、前記第２の領域との摩擦なしに棒体が並進できるような寸法とされる、請求項１〜７の何れか一項に記載のリンク。
【請求項９】
棒体（３０）と本体（１０）の間に置かれ、棒体（３０）に、組立位置から自由位置に向かって並進に押す傾向のある力を加えるために配置されたばね（２８）を備える、請求項１〜８の何れか一項に記載のリンク。
【請求項１０】
請求項１〜９の何れか一項に記載のリンクを少なくとも２つ含むことを特徴とするブレスレット。
【請求項１１】
棒体（３０）が組立位置にあるリンクを含む請求項１０に記載のブレスレットを長くまたは短くする方法であって、前記方法は、係止部材（４０）を並進に駆動するステップを含み、前記並進駆動により、棒体（３０）の少なくとも部分的な自動排出をもたらすことを特徴とする方法。
【請求項１２】
棒体（３０）が自由位置にあるリンクを含む請求項１０に記載のブレスレットを長くまたは短くする方法であって、前記方法は、棒体（３０）を経路（２０）に押し戻すステップを含み、棒体（３０）が組立位置に到達すると、係止部材（４０）は自動的にその第１の位置に移動されることを特徴とする方法。
【国際調査報告】
2020512891.tif 000008
2020512891.tif 000009
2020512891.tif 000010
2020512891.tif 000011